(57)【要約】      （修正有）【課題】製作の容易性、装着時に重量感とフイット感の両立性を満足させる実用的な防寒用耳覆いを提供する。【解決手段】左右一組の支持輪と、これらの支持輪の外壁部位から連続的に延び、かつ、人体の後頭部側に防寒用外装部材を介してフイットするように形成された湾曲状支持腕とが一体成形された１本のフレームであり、また該フレームは、材質自体により弾性変形機能及び弾性変形復帰機能を有する細長状棒部材であり、また該フレームの前記支持腕は、装着時、材質自体のバネ力に抗して外拡変位可能であり、さらに、フレームの全体が前記防寒用外装部材で包まれている防寒用耳覆い。【選択図】図１
0003115099.tif 000002
【実用新案登録請求の範囲】
【請求項１】
人体の左右の耳をそれぞれ取り囲む大きさのリング状に形成された左右一組の支持輪と、これらの支持輪の外壁部位から連続的に延び、かつ、人体の後頭部側に防寒用外装部材を介してフイットするように形成された湾曲状支持腕とが一体成形された１本のフレームであり、また、該フレームは、材質自体により弾性変形機能及び弾性変形復帰機能を有する細長状棒部材であり、また、該フレームの前記支持腕は、装着時、材質自体のバネ力に抗して外拡変位可能であり、さらに、フレームの全体が前記防寒用外装部材で包まれている防寒用耳覆い。
【請求項２】
請求項１のフレームは、合成樹脂材でいわば針金のように形成され、正面図を基準にすると、湾曲状支持腕は、下向の弧状部分と、この弧状部分の両端部にそれぞれ内側に向くように連続する短杆状部分とから成り、一方、左右一組の支持輪は、前記短杆状部分からそれぞれ傾斜状に立ち上がるように対向していることを特徴とする防寒用耳覆い。
【請求項３】
請求項２のフレームに於いて、左右一組の支持輪は、左右の外側部位が短杆状部分にそれぞれ連続すると共に、内側部位の中央部が多少の間隙を有して対向していることを特徴とする防寒用耳覆い。
【考案の詳細な説明】
【技術分野】
【０００１】
本考案は、防寒用耳覆いに関するものである。
【背景技術】
【０００２】
防寒用耳覆いの一例として、特許文献１を記載する（便宜上、該公報の符号をそのまま記載する）。
【０００３】
特許文献１には、多数の実施例が記載されている。それらの実施例の中で、本考案に一番近い実施例は、図９乃至図１２に記載されている帯状タイプの「保温用耳当て」である。この耳当てのフレーム２００は、帯状のバンド２１０と、このバンド２１０の左右端部にそれぞれ連結されかつ開口部を有する左右一組の耳フレーム部材２２０，２３０とから成る。
【０００４】
前記バンド２１０の左右端部２１２，２１４と左右の耳フレーム部材２２０，２３０の各連結部２４０，２４２は、溶接、圧搾又は加熱という固定手段を用いて連結され得る。そして、バンドと左右一組の耳フレーム部材は、プラスチックのような弾性素材で作られている（段落００２６）。
【０００５】
特許文献１の発明は、複数個のバラバラの部品を１本のフレームに結合し、かつ、結合後のフレームを防寒用の外装部材で包むと、実用的な防寒用耳覆いが出来上がる。
【０００６】
しかし、特許文献１に記載の防寒用耳覆いは、複数個（合計３個）の部品を一体的に連結する必要があるので、製作に時間と手数を要するという問題点があった。
【０００７】
また、バンド２１０は細長いものであると言っても、図１１で示すように、テープ状であり、かつ、やや幅広状である。この点、開口部を画定した左右の耳フレーム部材２２０，２３０も同様である。
【０００８】
したがって、少なくともバンド２１０は、外装部材を介しても人体の後頭部側にフイットし難いという問題点があった。
さらに、フレームの面積ないし体積が大きいので、重量感を解消できないという欠点があった。
【０００９】
ところで、人体の頭部側に装着する場合、フイット感や重量感の欠点は、躍動的な行動をとる場合に大きな障害である。具体的には、歩く、走る、スキー、スケート、飛ぶ等のスポーツをする場合に左右の耳フレーム部材がずれる場合があり、また軽量感が好まれるからである。
【００１０】
この問題点は、特許文献１の他の実施例（図１８）も同様である。すなわち、例えば図１８に記載の他の実施例では、バンド７１０に調節機構を設け、極力、左右の耳フレーム部材等が人体の頭部及び耳部にフイットさせようとする改善策であるが、かえって調節片が増えることから、「重量感」を解消することができないという問題点がある。
【特許文献１】特開２００３−１２３４５６号公報
【考案の開示】
【考案が解決しようとする課題】
【００１１】
考案が解決しようとする課題は、まず、製作の容易性及び製作コストの安価性を図り、次に、装着時、重量感とフイット感の両立性を満足させる実用的な防寒用耳覆いを提案することである。
【課題を解決するための手段】
【００１２】
本考案の防寒用耳覆いは、人体の左右の耳をそれぞれ取り囲む大きさのリング状に形成された左右一組の支持輪と、これらの支持輪の外壁部位から連続的に延び、かつ、人体の後頭部側に防寒用外装部材を介してフイットするように形成された湾曲状支持腕とが一体成形された１本のフレームであり、また、該フレームは、材質自体により弾性変形機能及び弾性変形復帰機能を有する細長状棒部材であり、また、該フレームの前記支持腕は、装着時、材質自体のバネ力に抗して外拡変位可能であり、さらに、フレームの全体が前記防寒用外装部材で包まれていることを特徴とする。
【実施例】
【００１３】
図１乃至図６を参照にして、本考案の防寒用耳覆いＸのフレーム１の構成を説明する。ここでは、説明の便宜上、図１を正面図とする。したがって、図２は右側面図、図３は平面図、図４は背面図、図５は底面図である。図６は参考的な斜視図である。
【００１４】
（１）フレーム１
フレーム１は、合成樹脂材でいわば針金のように形成されている。合成樹脂材の一例は、ポリプロピレンである。したがって、フレーム１は、材質自体により、形態を保持する硬質（剛性）的機能、弾性変形機能及び弾性変形復帰機能をそれぞれ有する１本の細長状棒部材である。
【００１５】
さて、正面図を基準にフレーム１の構造を説明すると、フレーム１は、湾曲状支持腕２と、この湾曲状支持腕２の左右端部に立ち上がり状、かつ、互いに傾斜状に対向する左右一対の支持輪３，４とから成る。
【００１６】
したがって、フレーム１は、いわば、針金のように形成された所定長さの線材部材を、まず弧状に形成し、次に弧状に形成した両端部を角度方向内側に対向状態に折り曲げ、さらに、折り曲げ端部に円形或いは楕円形状のリングをそれぞれ形成したようなものである。
【００１７】
具体的には、前記湾曲状支持腕２は、下向の弧状部分２ａと、この弧状部分２ａの両端部にそれぞれ内側に向くように連続する左右一対の短杆状部分２ｂ，２ｂとから成る。
【００１８】
本実施例では、この支持腕２の弧状部分２ａは、人体の後頭部側（首の部分も含む）に防寒用外装部材を介してフイットするように半円弧状に形成されている。
【００１９】
したがって、前記左右一対の短杆状部分２ｂ，２ｂは、左右の支持輪３，４に対する連設杆部分となっている。
【００２０】
また、フレーム１は、前述したように、全体が弾性変形機能及び弾性変形復帰機能を有することから、その湾曲状支持腕２は、装着時、材質自体のバネ力に抗して外拡変位可能である。
【００２１】
一方、左右一組の円形状支持輪３，４は、前記短杆状部分２ｂ，２ｂからそれぞれ傾斜状に立ち上がるように対向している。
【００２２】
付言すると、左右一組の支持輪３，４は、左右の外側部位３ａ，４ａが短杆状部分にそれぞれ連続すると共に、内側部位３ｂ，４ｂの中央部が多少の間隙５を有して対向している。
【００２３】
また、左右一組の支持輪３，４は、人体の左右の耳をそれぞれ取り囲む大きさのリング状に形成されている。支持輪３，４の形状は、円形、楕円形、多角形などその形状を特に限定するものではない。
【００２４】
（２）外装部材
図７乃至図９は、本考案の実施レベルの防寒用耳覆いＸである。図７は正面図、図８は右側面図、図９は斜視図である。
【００２５】
これらの図面から明らかなように、フレーム１は、その全体が布、毛糸、繊維、皮等で形成された防寒用の外装部材６で包まれている。
【００２６】
本実施例では、フレーム１は防寒用の素材の一例である合成繊維（例えばアクリル）が適宜に逢着されている。その結果、図７の正面図を基準にすると、支持輪３，４をそれぞれ包む左右一組の耳覆い部分７，８は、やや膨らみを有する左右の手（左手、右手）の外観形状をしており、一方、支持腕２を包む後頭部側宛がい部分９は前記耳覆い部分７，８にやや太い紐状に連続している。
【００２７】
（３）作用・効果、
以上説明したように、本考案の防寒用耳覆いＸは、人体の左右の耳をそれぞれ取り囲む大きさのリング状に形成された左右一組の支持輪３，４と、これらの支持輪３，４の外壁部位３ａ，４ａ（望ましくは左右の外壁部位）から連続的に延び、かつ、人体の後頭部側に防寒用外装部材６を介してフイットするように形成された湾曲状支持腕２とが一体成形された１本のフレームであり、また、該フレーム１は、材質自体により弾性変形機能及び弾性変形復帰機能を有する細長状棒部材であり、また、該フレーム１の前記支持腕２は、装着時、材質自体のバネ力に抗して外拡変位可能であり、さらに、フレーム１全体が前記防寒用外装部材６で包まれている。
【００２８】
したがって、特許文献１に記載の発明のように、複数個の構成部品を連結する必要性がなく、いわゆる一体成形ものであるから、製作容易性、安価性等の効果を得ることができる。
【００２９】
また、フレーム１は、弾性変形機能、弾性変形復帰機能等を有する素材（望ましくは軽量性の合成樹脂材）で形成されていることから、装着時、重量感とフイット感の両立性を満足させることができる。
【００３０】
それ故に、歩く、走る、スキー、スケート、飛ぶ等のスポーツをする場合に左右の耳フレーム部材がずれる場合がなく、非常に実用的な防寒用耳覆いである。
【図面の簡単な説明】
【００３１】
図１乃至図６はフレームの構成を示す各説明図。図７乃至図９は、フレームを外装部材で包んだ本考案の各説明図。
【図１】フレームの正面からの説明図。
【図２】右側面図。
【図３】平面図。
【図４】背面図。
【図５】底面図。
【図６】斜視図。
【図７】フレームを外装部材で包んだ正面図。
【図８】右側面図。
【図９】斜視図。
【符号の説明】
【００３２】
Ｘ…防寒用耳覆い、1…フレーム、２…支持腕、２ａ…下向の弧状部分、２ｂ…短杆状部分、３，４…支持輪、３ａ，４ａ…左右の外側部位、３ｂ，４ｂ…内側部位、５…間隙、６…外装部材、７，８…耳覆い部分、９…後頭部側宛がい部分。
【図１】
0003115099.tif 000003
【図２】
0003115099.tif 000004
【図３】
0003115099.tif 000005
【図４】
0003115099.tif 000006
【図５】
0003115099.tif 000007
【図６】
0003115099.tif 000008
【図７】
0003115099.tif 000009
【図８】
0003115099.tif 000010
【図９】
0003115099.tif 000011
【手続補正書】
【提出日】平成17年7月29日(2005.7.29)
【手続補正１】
【補正対象書類名】明細書
【補正対象項目名】００１０
【補正方法】変更
【補正の内容】
【００１０】
この問題点は、特許文献１の他の実施例（図１８）も同様である。すなわち、例えば図１８に記載の他の実施例では、バンド７１０に調節機構を設け、極力、左右の耳フレーム部材等が人体の頭部及び耳部にフイットさせようとする改善策であるが、かえって調節片が増えることから、「重量感」を解消することができないという問題点がある。
【特許文献１】特表２００５−５１５８２８号公報